(57)【要約】【課題】ＩＰ接続による接続点と回線交換網を経由する接続点とによりＩＰ網間が接続されるとき、ＩＰ網と回線交換網との境界のＵプレーン装置の使用を低減する。【解決手段】第１ＩＰ網２の第１ゲートウエイ装置５は、回線交換網４の呼制御信号である第１信号内にＳＩＰに従う確立要求メッセージを格納する信号処理部３２と、着呼側装置１１が接続された第２ＩＰ網３へ回線交換網４を経由して第１信号を送信し、回線交換網の呼制御信号である第２信号を第２ＩＰ網３から受信する第２通信部３３と、確立要求メッセージに対する応答メッセージが第２信号に格納されているか否かを判定する判定部３４と、応答メッセージが格納されている場合に応答メッセージを発呼側装置１０へ送信する第２送信部３０を備える。【選択図】図２
2011211385.tif 000002
【特許請求の範囲】
【請求項１】
ＩＰ（Internet Protocol）接続による第２ＩＰ網への第１接続点と、回線交換網を経由する前記第２ＩＰ網への第２接続点と、を有する第１ＩＰ網を、前記回線交換網に接続する第１ゲートウエイ装置であって、
前記第１ＩＰ網に接続される発呼側装置からＳＩＰ（Session Initiation Protocol）に従うセッションの確立要求メッセージを受信する第１受信部と、
前記回線交換網における呼制御信号である第１信号を生成する信号生成部と、
前記確立要求メッセージを前記第１信号内に格納する信号処理部と、
前記確立要求メッセージが格納される前記第１信号を、着呼側装置が接続された前記第２ＩＰ網へ前記回線交換網を経由して送信する第１送信部と、
前記回線交換網における呼制御信号である第２信号を前記第２ＩＰ網から受信する第２受信部と、
前記確立要求メッセージに対する応答メッセージが前記第２信号に格納されているか否かを判定する判定部と、
前記第２信号に前記応答メッセージが格納されている場合、前記応答メッセージを前記発呼側装置へ送信する第２送信部と、
を備えるゲートウエイ装置。
【請求項２】
前記回線交換網における呼制御プロトコルとＳＩＰと間の変換を行う変換部を備え、
前記第２信号に前記応答メッセージが格納されていない場合、前記変換部は、前記回線交換網を経由する呼接続を確立させる請求項１に記載のゲートウエイ装置。
【請求項３】
ＩＰ（Internet Protocol）接続による第１ＩＰ網への第１接続点と、回線交換網を経由する前記第１ＩＰ網への第２接続点と、を有する第２ＩＰ網を、前記回線交換網に接続する第２ゲートウエイ装置であって、
前記回線交換網における呼制御信号である第１信号を、発呼側装置が接続された前記第１ＩＰ網から受信する受信部と、
前記回線交換網における呼制御信号である第２信号を生成する信号生成部と、
ＳＩＰ（Session Initiation Protocol）に従うセッションの確立要求メッセージが、前記第１信号に格納されているか否かを判定する第１判定部と、
前記確立要求メッセージが前記第１信号に格納されている場合、前記確立要求メッセージに対する応答メッセージを前記第２信号内に格納する信号処理部と、
前記応答メッセージが格納される前記第２信号を、前記回線交換網を経由して前記第１ＩＰ網へ送信する送信部と、
を備えるゲートウエイ装置。
【請求項４】
前記確立要求メッセージに含まれる前記発呼側装置のＩＰアドレスが既知のアドレスであるか否かを判定する第２判定部を備え、
前記信号生成部は、前記回線交換網における呼制御信号である第３信号を生成し、
前記発呼側装置のＩＰアドレスが既知のアドレスでない場合、前記信号処理部は、着呼側装置のＩＰアドレスを含むリダイレクト応答を前記第３信号内に格納する請求項３に記載のゲートウエイ装置。
【請求項５】
前記確立要求メッセージに含まれる前記発呼側装置のドメインが既知のドメインであるか否かを判定する第２判定部を備え、
前記信号生成部は、前記回線交換網における呼制御信号である第３信号を生成し、
前記発呼側装置のドメインが既知のドメインでない場合、前記信号処理部は、着呼側装置のＩＰアドレスを含むリダイレクト応答を前記第３信号内に格納する請求項３に記載のゲートウエイ装置。
【請求項６】
ＩＰ（Internet Protocol）接続による第２ＩＰ網への第１接続点と、回線交換網を経由する前記第２ＩＰ網への第２接続点と、を有する第１ＩＰ網を、前記回線交換網に接続する第１ゲートウエイ装置において実行される通信プログラムであって、前記第１ゲートウエイ装置に、
前記第１ＩＰ網に接続される発呼側装置からＳＩＰ（Session Initiation Protocol）に従うセッションの確立要求メッセージを受信させ、
前記回線交換網における呼制御信号である第１信号を生成させ、
前記確立要求メッセージを前記第１信号内に格納させ、
前記確立要求メッセージが格納される前記第１信号を、着呼側装置が接続された前記第２ＩＰ網へ前記回線交換網を経由して送信させ、
前記回線交換網における呼制御信号である第２信号を前記第２ＩＰ網から受信させ、
前記確立要求メッセージに対する応答メッセージが前記第２信号に格納されているか否かを判定させ、
前記第２信号に前記応答メッセージが格納されている場合、前記応答メッセージを前記発呼側装置へ送信させる、通信プログラム。
【請求項７】
ＩＰ（Internet Protocol）接続による第１ＩＰ網への第１接続点と、回線交換網を経由する前記第１ＩＰ網への第２接続点と、を有する第２ＩＰ網を、前記回線交換網に接続する第２ゲートウエイ装置において実行される通信プログラムであって、前記第２ゲートウエイ装置に、
前記回線交換網における呼制御信号である第１信号を、発呼側装置が接続された前記第１ＩＰ網から受信させ、
ＳＩＰ（Session Initiation Protocol）に従うセッションの確立要求メッセージが、前記第１信号に格納されているか否かを判定させ、
前記回線交換網における呼制御信号である第２信号を生成させ、
前記確立要求メッセージが前記第１信号に格納されている場合、前記確立要求メッセージに対する応答メッセージを前記第２信号内に格納させ、
前記応答メッセージが格納される前記第２信号を、前記回線交換網を経由して前記第１ＩＰ網へ送信させる、通信プログラム。
【請求項８】
ＩＰ（Internet Protocol）接続による第２ＩＰ網への第１接続点と、回線交換網を経由する前記第２ＩＰ網への第２接続点と、を有する第１ＩＰ網を、前記回線交換網に接続する第１ゲートウエイ装置において実行される通信方法であって、前記第１ゲートウエイ装置が、
前記第１ＩＰ網に接続される発呼側装置からＳＩＰ（Session Initiation Protocol）に従うセッションの確立要求メッセージを受信し、
前記回線交換網における呼制御信号である第１信号を生成し、
前記確立要求メッセージを前記第１信号内に格納し、
前記確立要求メッセージが格納される前記第１信号を、着呼側装置が接続された前記第２ＩＰ網へ前記回線交換網を経由して送信し、
前記回線交換網における呼制御信号である第２信号を前記第２ＩＰ網から受信し、
前記確立要求メッセージに対する応答メッセージが前記第２信号に格納されているか否かを判定し、
前記第２信号に前記応答メッセージが格納されている場合、前記応答メッセージを前記発呼側装置へ送信する、通信方法。
【請求項９】
ＩＰ（Internet Protocol）接続による第１ＩＰ網への第１接続点と、回線交換網を経由する前記第１ＩＰ網への第２接続点と、を有する第２ＩＰ網を、前記回線交換網に接続する第２ゲートウエイ装置において実行される通信方法であって、前記第２ゲートウエイ装置が、
前記回線交換網における呼制御信号である第１信号を、発呼側装置が接続された前記第１ＩＰ網から受信し、
ＳＩＰ（Session Initiation Protocol）に従うセッションの確立要求メッセージが、前記第１信号に格納されているか否かを判定し、
前記回線交換網における呼制御信号である第２信号を生成し、
前記確立要求メッセージが前記第１信号に格納されている場合、前記確立要求メッセージに対する応答メッセージを前記第２信号内に格納し、
前記応答メッセージが格納される前記第２信号を、前記回線交換網を経由して前記第１ＩＰ網へ送信する、通信方法。
【発明の詳細な説明】
【技術分野】
【０００１】
本明細書で論じられる実施態様は、ＳＩＰ（Session Initiation Protocol）を使用したセッションの確立技術に関する。
【背景技術】
【０００２】
ＳＩＰによるセッションの制御が可能なＩＰ（Internet Protocol）網と回線交換網とが混在するネットワークにおいては、ＩＰ網と回線交換網との境界に、プロトコル変換のためのＵプレーン装置が設けられる。
【０００３】
なお、第１のＩＰ網に接続される第１のＩＰ電話機と、第２のＩＰ網に接続される第２のＩＰ電話機とが、ひとつ又は複数の第３のＩＰ網を介して相互接続可能な、音声又は画像信号がＩＰ網で通信される電話網が提案されている。この電話網は、共通線信号網及び第１のＩＰ網に接続されて呼接続制御を行う第１のコールエージェントと、共通線信号網及び第２のＩＰ網に接続されて呼接続制御を行う第２のコールエージェントと、共通線信号網及び第３のＩＰ網に接続されて呼接続制御を行うひとつ又は複数の第３のコールエージェントを備える。さらにこの電話網は、第１のＩＰ電話機又は第１のＩＰ網についての第１の課金管理装置と、第２の電話機又は第２のＩＰ網についての第２の課金管理装置と、第３のＩＰ網についてのひとつ又は複数の第３の課金管理装置とのそれぞれと所定の情報を通信し、及び、第１乃至第３のコールエージェントのそれぞれと共通線信号網を介して通信し、着信課金サービスの呼接続制御を行う着信課金制御装置とを備える。
【先行技術文献】
【特許文献】
【０００４】
【特許文献１】特開平２００６−１９７１９９号公報
【発明の概要】
【発明が解決しようとする課題】
【０００５】
ＩＰ網と回線交換網とが混在するネットワークにおいて、たとえＳＩＰによるセッションの制御が可能なＩＰ網同士がＩＰ接続による接続点で接続されていたとしても、回線交換網を経由して呼接続処理が行われることがある。例えば、回線交換網を有する通信事業者の通信サービスに加入していた加入者が、番号ポータビィリティを利用してＩＰ網を有する通信事業者の通信サービスに加入した場合を考える。この場合には、従前の通信事業者の回線交換網を経由してこの加入者の電話に対する呼接続処理が実行される。
【０００６】
回線交換網を経由する呼接続処理が行われることにより、発呼側装置と着呼側装置との間の伝送経路は回線交換網を経由する。そして、この伝送経路におけるプロトコル変換のためにＵプレーン装置のハードウエア資源が消費される。もし、ＩＰ接続による接続点を経由するセッションが確立することができれば回線交換網を経由しなくて済むため、Ｕプレーン装置のハードウエア資源の消費を低減することができる。
【０００７】
実施態様に係る装置、プログラム及び方法は、ＩＰ接続による接続点と回線交換網を経由する接続点とによりＩＰ網間が接続されるとき、ＩＰ網と回線交換網との境界のＵプレーン装置のハードウエア資源の消費を低減することを目的とする。
【課題を解決するための手段】
【０００８】
実施例の一態様によれば、ＩＰ接続による第２ＩＰ網への第１接続点と、回線交換網を経由する第２ＩＰ網への第２接続点と、を有する第１ＩＰ網を、回線交換網に接続する第１ゲートウエイ装置が与えられる。第１ゲートウエイ装置は、第１ＩＰ網に接続される発呼側装置からＳＩＰに従うセッションの確立要求メッセージを受信する第１受信部と、回線交換網における呼制御信号である第１信号を生成する信号生成部と、確立要求メッセージを第１信号内に格納する信号処理部と、確立要求メッセージが格納される第１信号を、着呼側装置が接続された第２ＩＰ網へ回線交換網を経由して送信する第１送信部と、回線交換網における呼制御信号である第２信号を第２ＩＰ網から受信する第２受信部と、確立要求メッセージに対する応答メッセージが第２信号に格納されているか否かを判定する判定部と、第２信号に応答メッセージが格納されている場合、応答メッセージを発呼側装置へ送信する第２送信部を備える。
【０００９】
実施例の他の一態様によれば、ＩＰ接続による第１ＩＰ網への第１接続点と、回線交換網を経由する第１ＩＰ網への第２接続点と、を有する第２ＩＰ網を、回線交換網に接続する第２ゲートウエイ装置が与えられる。第２ゲートウエイ装置は、回線交換網における呼制御信号である第１信号を、発呼側装置が接続された第１ＩＰ網から受信する受信部と、回線交換網における呼制御信号である第２信号を生成する信号生成部と、ＳＩＰに従うセッションの確立要求メッセージが、第１信号に格納されているか否かを判定する第１判定部と、確立要求メッセージが第１信号に格納されている場合、確立要求メッセージに対する応答メッセージを第２信号内に格納する信号処理部と、応答メッセージが格納される第２信号を、回線交換網を経由して第１ＩＰ網へ送信する送信部と、を備える。
【発明の効果】
【００１０】
本件開示の装置、プログラム又は方法によれば、ＩＰ接続による接続点と回線交換網を経由する接続点とによりＩＰ網間が接続されるとき、ＩＰ網と回線交換網との境界のＵプレーン装置のハードウエア資源の消費を低減される。
【図面の簡単な説明】
【００１１】
【図１】通信システムの構成例を示す図である。
【図２】ゲートウエイ装置のハードウエア構成例を示す図である。
【図３】第１ゲートウエイ装置の第１構成例を示す図である。
【図４】ＩＭＳ（ＩＰ  Ｍｕｌｔｉｍｅｄｉａ  Ｓｕｂｓｙｓｔｅｍ）における回線交換網ゲートウエイの構成例を示す図である。
【図５】第２ゲートウエイ装置の第１構成例を示す図である。
【図６】図３に示す第１ゲートウエイ装置における処理の説明図である。
【図７】図５に示す第２ゲートウエイ装置における処理の説明図である。
【図８】ネットワーク構成の第１例の説明図である。
【図９】図８のネットワーク構成における呼接続処理の説明図である。
【図１０】ネットワーク構成の第２例の説明図である。
【図１１】図１０のネットワーク構成における呼接続処理の説明図である。
【図１２】第２ゲートウエイ装置の第２構成例を示す図である。
【図１３】図１２に示す第２ゲートウエイ装置における処理の説明図である。
【図１４】ネットワーク構成の第３例の説明図である。
【図１５】図１４のネットワーク構成における呼接続処理の説明図である。
【発明を実施するための形態】
【００１２】
以下、添付する図面を参照して本発明の実施例について説明する。図１は、通信システムの構成例を示す図である。通信システム１は、第１ＩＰ網２、第２ＩＰ網３及び回線交換網４を備える。第１ＩＰ網２及び第２ＩＰ網３は、ＳＩＰによるセッションの制御が可能なＩＰ網である。
【００１３】
第１ＩＰ網２は、回線交換網４と接続されている。第１ＩＰ網２には、回線交換網４との間の伝送信号のプロトコル変換のための第１ゲートウエイ装置５が設けられる。第１ゲートウエイ装置５は、回線交換網４内の交換機６に接続される。また、第２ＩＰ網３もまた、回線交換網４に接続されている。第２ＩＰ網３には、回線交換網４との間の伝送信号のプロトコル変換のための第２ゲートウエイ装置８が設けられる。第２ゲートウエイ装置８は、回線交換網４内の交換機７に接続される。
【００１４】
すなわち、第１ＩＰ網２及び第２ＩＰ網３は、回線交換網４を経由する接続点を有している。また、第１ＩＰ網２と第２ＩＰ網３は、回線交換網４を経由する接続点の他に、ＩＰ接続によって、第１ＩＰ網２と第２ＩＰ網３と互いに接続する接続点を有していてよい。この接続点のことを、以下の説明において「ＩＰ接続点」と表記する。
【００１５】
通信装置１０は、第１ＩＰ網２に接続され、通信装置１１は、第２ＩＰ網３に接続される。通信装置１０は、以下の説明において通信装置１１を宛先とする呼を発生させる。このため、以下の説明において通信装置１０を「発呼側装置１０」と表記し、通信装置１１を「着呼側装置１１」と表記することがある。
【００１６】
図２は、第１ゲートウエイ装置５のハードウエア構成例を示す図である。第２ゲートウエイ装置８も同様のハードウエア構成を有していてよい。第１ゲートウエイ装置５は、プロセッサ２０と、メモリ２１と、補助記憶装置２２と、通信インタフェース２３を備える。プロセッサ２０と、メモリ２１と、補助記憶装置２２と、通信インタフェース２３は、データを伝送するバス２４によって接続される。第１ゲートウエイ装置５は、例えば、コンピュータ装置やサーバ装置によって実現可能である。
【００１７】
補助記憶装置２２には、第１ゲートウエイ装置５の動作を制御するための各種コンピュータプログラムやデータが記憶される。補助記憶装置２２は、ハードディスクや不揮発性メモリなどを含んでいてよい。プロセッサ２０は、データ処理装置であり、補助記憶装置２２に記憶されるプログラムを実行し、第１ゲートウエイ装置５の動作を制御するための各処理を実行する。メモリ２１には、プロセッサ２０により実行中のプログラムや、このプログラムによって一時的に使用されるデータが記憶される。通信インタフェース２３は、第１ＩＰ網２内の信号の送受信処理、及び回線交換網４との間の信号の送受信処理を行う。
【００１８】
なお、図２に示すハードウエア構成は、あくまで第１ゲートウエイ装置５のハードウエア構成の一例である。以下に説明する処理を実行するものであれば、様々な種類のハードウエア構成が第１ゲートウエイ装置５のために採用できる。
【００１９】
図３は、第１ゲートウエイ装置５の第１構成例を示す図である。第１ゲートウエイ装置５の各構成要素によって実行される処理は、図２の補助記憶装置２２に記憶される通信プログラムをプロセッサ２０が実行することにより実現されるものである。なお図３では、この実施例の説明に関係する機能を中心として示している。
【００２０】
第１ゲートウエイ装置５は、第１通信部３０と、変換部３１と、信号処理部３２と、第２通信部３３と、判定部３４を備える。第１通信部３０は、発呼側装置１０から送信されたＳＩＰに従うセッションの確立要求メッセージを受信する。確立要求メッセージは、例えばＩＮＶＩＴＥメッセージであってよい。第１通信部３０は、特許請求の範囲に記載の第１ゲートウエイ装置の第１受信部及び第２送信部の一例として挙げられる。
【００２１】
変換部３１は、回線交換網４における呼制御プロトコルとＳＩＰとの間のプロトコル変換を行う。回線交換網４における呼制御プロトコルは、例えばＩＳＵＰ（Integrated Services Digital Network User Part）プロトコルであってよい。但し、回線交換網４における呼制御プロトコルは、ＩＳＵＰに限定されず、ＳＩＰに従うメッセージを呼制御信号内に格納できるプロトコルであれば、どのようなプロトコルであってもよい。
【００２２】
変換部３１は、回線交換網４における呼制御プロトコルに従う呼制御信号である第１信号を生成する。変換部３１は、特許請求の範囲に記載の信号生成部の一例として挙げられる。第１信号は、例えば回線交換網４における呼制御プロトコルにおける接続要求信号であってよい。
【００２３】
信号処理部３２は、ＩＮＶＩＴＥメッセージを第１信号内に格納する。第１信号が、ＩＳＵＰプロトコルに用いられるメッセージである場合、ＩＮＶＩＴＥメッセージは、ユーザ・ユーザ情報として第１信号に格納されてよい。
【００２４】
第２通信部３３は、ＩＮＶＩＴＥメッセージが格納された第１信号を、着呼側装置１１が接続された第２ＩＰ網３へ回線交換網４を経由して送信する。また、第２通信部３３は、回線交換網４における呼制御プロトコルに従う呼制御信号である第２信号を第２ＩＰ網３から受信する。判定部３４は、ＩＮＶＩＴＥメッセージに対する応答メッセージが第２信号に格納されているか否かを判定する。応答メッセージは、例えば「１００  Ｔｒｙｉｎｇ」メッセージであってよく、また例えば「２００  ＯＫ」メッセージであってもよい。また例えば、応答メッセージは、「３０１」メッセージなどのリダイレクト応答であってよい。ただし、応答メッセージは、これらのメッセージに限定されることなく、他の応答メッセージであってよい。第２通信部３３は、特許請求の範囲に記載の第１ゲートウエイ装置の第２受信部及び第１送信部の一例として挙げられる。
【００２５】
応答メッセージが第２信号に格納されているとき、判定部３４は、第２信号を送信した第２ＩＰ網３が、ＳＩＰによるセッションの制御が可能なＩＰ網であると特定することができる。このため、応答メッセージが第２信号に格納されているとき、第１通信部３０は、発呼側装置１０へ応答メッセージを送信する。発呼側装置１０は、応答メッセージを受信することにより第２ＩＰ網３に接続された着呼側装置１１と、ＩＰ接続点を経由したＳＩＰによるセッションを接続することが可能となる。
【００２６】
応答メッセージが第２信号に格納されていないとき、判定部３４は、第２信号を送信した第２ＩＰ網３が、ＳＩＰによるセッションの制御が可能なＩＰ網でないと特定することができる。このとき第１ゲートウエイ装置５は、回線交換網４を経由する呼接続処理を続行する。この間、変換部３１は、回線交換網４における呼制御プロトコルとＳＩＰとの間のプロトコル変換を行うことにより、回線交換網４を経由する第１ＩＰ網２と第２ＩＰ網３との間の呼接続が確立する。
【００２７】
第１ゲートウエイ装置５や第２ゲートウエイ装置８は、例えば、ＩＭＳ（ＩＰ  Ｍｕｌｔｉｍｅｄｉａ  Ｓｕｂｓｙｓｔｅｍ）における回線交換網ゲートウエイとして実現されてよい。図４は、ＩＭＳにおける回線交換網ゲートウエイの構成例を示す図である。第１ゲートウエイ装置５や第２ゲートウエイ装置８は、ＭＧＣＦ（Media Gateway Controller Function）４０と、ＳＧＷ（Signalling Gateway）４１と、ＭＧＷ（Media Gateway）４２を含む機能要素のグループに分解されてよい。
【００２８】
ＭＧＣＦ４０は、ＳＩＰとＩＳＵＰ間の呼制御プロトコルの変換を行い、ＳＣＴＰ（Stream Control Transmission Protocol）上でＳＧＷ４１とのインタフェースを提供する。また、ＭＧＣＦ４０は、ＭＧＷ４２のリソースを制御する。ＳＧＷ４１は、回線交換網の信号層とのインタフェースである。ＳＧＷ４１は、ＭＧＣＦ４０から受信したＳＣＴＰ上のＩＳＵＰ信号を共通線信号Ｎｏ．７のＭＴＰ（Message Transfer Part）上に変換して、回線交換網へ送信する。ＭＧＷ４２は、回線交換網のメディア層とＩＰ網とのインタフェースである。本実施例において説明されるゲートウエイ装置５や第２ゲートウエイ装置８にて行われる処理は、例えばＭＧＣＦ４０によって実行されてよい。
【００２９】
図５は、第２ゲートウエイ装置８の第１構成例を示す図である。第２ゲートウエイ装置８の各構成要素によって実行される処理は、図２の補助記憶装置２２に記憶される通信プログラムをプロセッサ２０が実行することにより実現されるものである。なお図５では、この実施例の説明に関係する機能を中心として示している。
【００３０】
第２ゲートウエイ装置８は、第１通信部５０と、信号生成部５１と、第１判定部５２と、第２通信部５３と、信号処理部５４を備える。なお、第２ゲートウエイ装置８は、発呼側の処理をするために、図３を参照して説明した第１ゲートウエイ装置５の構成を備えていてよい。同様に、第１ゲートウエイ装置５は、着呼側の処理をするために、第２ゲートウエイ装置８の構成を備えていてよい。
【００３１】
第１通信部５０は、第１ＩＰ網２から送信され回線交換網４を経由して伝送された第１信号を受信する。信号生成部５１は、第２信号を生成する。第１判定部５２は、受信された第１信号にＩＮＶＩＴＥメッセージが格納されているか否かを判定する。第１通信部５０は、特許請求の範囲に記載の第２ゲートウエイ装置の受信部及び送信部の一例として挙げられる。
【００３２】
第１信号にＩＮＶＩＴＥメッセージが格納されている場合、第１判定部５２は、第１信号を送信した第１ＩＰ網２が、ＳＩＰによるセッションの制御が可能なＩＰ網であると特定することができる。このため、第１信号にＩＮＶＩＴＥメッセージが格納されている場合には、第２通信部５３は、ＩＮＶＩＴＥメッセージを着呼側装置１１に送信する。
【００３３】
また、第２通信部５３は、ＩＮＶＩＴＥメッセージに対する応答メッセージを着呼側装置１１から受信する。信号処理部５４は、ＩＮＶＩＴＥメッセージに対する応答メッセージを第２信号に格納する。第１通信部５０は、応答メッセージが格納された第２信号を、第１ＩＰ網２へ回線交換網４を経由して送信する。
【００３４】
その後、信号生成部５１は、回線交換網を経由する呼接続を切断する呼制御信号を生成する。第１通信部５０が、この呼制御信号を第１ＩＰ網２へ回線交換網４を経由して送信することにより、回線交換網４を経由する呼接続処理が中断する。
【００３５】
第１信号にＩＮＶＩＴＥメッセージが格納されていない場合、第１判定部５２は、第１ＩＰ網２が、ＳＩＰによるセッションの制御が可能なＩＰ網でないと特定することができる。このとき信号生成部５１は、回線交換網を経由する呼接続を確立させる呼制御信号を生成する。第１通信部５０が、この呼制御信号を第１ＩＰ網２へ回線交換網４を経由して送信することにより、回線交換網４を経由する第１ＩＰ網２と第２ＩＰ網３との間の呼接続が確立する。
【００３６】
続いて、第１ゲートウエイ装置５及び第２ゲートウエイ装置８における処理を説明する。図６は、図３に示す第１ゲートウエイ装置５における処理の説明図である。なお、他の実施態様においては、下記のオペレーションＡＡ〜ＡＨの各オペレーションはステップであってもよい。
【００３７】
オペレーションＡＡにおいて第１通信部３０は、発呼側装置１０から送信されたＩＮＶＩＴＥメッセージを受信する。オペレーションＡＢにおいて変換部３１は、第１信号を生成する。オペレーションＡＣにおいて信号処理部３２は、ＩＮＶＩＴＥメッセージを第１信号内に格納する。オペレーションＡＤにおいて第２通信部３３は、ＩＮＶＩＴＥメッセージが格納された第１信号を、着呼側装置１１が接続された第２ＩＰ網３へ回線交換網４を経由して送信する。
【００３８】
オペレーションＡＥにおいて第２通信部３３は、第２ＩＰ網３から送信される第２信号の受信を試みる。第２信号が受信されたとき（オペレーションＡＥ：Ｙ）、処理はオペレーションＡＦへ進む。第２信号が受信されないとき（オペレーションＡＥ：Ｎ）、処理はオペレーションＡＥへ戻る。
【００３９】
オペレーションＡＦにおいて判定部３４は、ＩＮＶＩＴＥメッセージに対する応答メッセージが第２信号に格納されているか否かを判定する。応答メッセージが第２信号に格納されているとき（オペレーションＡＦ：Ｙ）、処理はオペレーションＡＧへ進む。応答メッセージが第２信号に格納されていないとき（オペレーションＡＦ：Ｎ）、処理はオペレーションＡＨへ進む。
【００４０】
オペレーションＡＧにおいて第１通信部３０は、発呼側装置１０へ応答メッセージを送信する。一方で、オペレーションＡＨにおいて第１ゲートウエイ装置５は、回線交換網を経由する呼接続処理を続行する。この間、変換部３１は、回線交換網４における呼制御プロトコルとＳＩＰとの間のプロトコル変換を行う。
【００４１】
図７は、図５に示す第２ゲートウエイ装置８における処理の説明図である。なお、他の実施態様においては、下記のオペレーションＢＡ〜ＢＩの各オペレーションはステップであってもよい。オペレーションＢＡにおいて第１通信部５０は、第１ＩＰ網２から送信され回線交換網４を経由して伝送された第１信号を受信する。
【００４２】
オペレーションＢＢにおいて第１判定部５２は、受信された第１信号にＩＮＶＩＴＥメッセージが格納されているか否かを判定する。第１信号にＩＮＶＩＴＥメッセージが格納されていないとき（オペレーションＢＢ：Ｎ）、処理はオペレーションＢＣへ進む。第１信号にＩＮＶＩＴＥメッセージが格納されているとき（オペレーションＢＢ：Ｙ）、処理はオペレーションＢＤへ進む。
【００４３】
オペレーションＢＣにおいて信号生成部５１は、回線交換網を経由する呼接続を確立させる呼制御信号を生成する。第１通信部５０が、この呼制御信号を第１ＩＰ網２へ回線交換網４を経由して送信することにより、回線交換網４を経由する第１ＩＰ網２と第２ＩＰ網３との間の呼接続が確立する。その後処理が終了する。
【００４４】
オペレーションＢＤにおいて第２通信部５３は、ＩＮＶＩＴＥメッセージを着呼側装置１１に送信する。オペレーションＢＥにおいて第２通信部５３は、ＩＮＶＩＴＥメッセージに対する応答メッセージを着呼側装置１１から受信する。
【００４５】
オペレーションＢＦにおいて信号生成部５１は、第２信号を生成する。オペレーションＢＧにおいて信号処理部５４は、ＩＮＶＩＴＥメッセージに対する応答メッセージを第２信号に格納する。
【００４６】
オペレーションＢＨにおいて第１通信部５０は、応答メッセージが格納された第２信号を、第１ＩＰ網２へ回線交換網４を経由して送信する。オペレーションＢＩにおいて信号生成部５１は、回線交換網を経由する呼接続を切断する呼制御信号を生成する。この呼制御信号により、回線交換網４を経由する呼接続処理が中断する。
【００４７】
次に、第１ゲートウエイ装置５及び第１ゲートウエイ装置８を、あるネットワーク構成に配置した場合におけるそれぞれの呼接続処理について説明する。図８は、ネットワーク構成の第１例の説明図である。
【００４８】
ネットワーク構成１００は、通信事業者Ａ、Ｂ及びＣ、すなわちキャリアＡ、Ｂ及びＣによる通信サービスをそれぞれ提供するネットワーク１０１、１０３及び１０２を備える。キャリアＡ及びＣのネットワーク１０１及び１０２は、ＳＩＰによるセッションの制御が可能なＩＰ網である。キャリアＢのネットワーク１０３は、回線交換網である。
【００４９】
ネットワーク１０１は、ネットワーク１０３と接続されている。ネットワーク１０１には、ネットワーク１０３との間の伝送信号のプロトコル変換のための第１ゲートウエイ装置５が設けられる。第１ゲートウエイ装置５は、ネットワーク１０３内の交換機６に接続される。また、ネットワーク１０２もまた、ネットワーク１０３に接続されている。ネットワーク１０２には、ネットワーク１０３との間の伝送信号のプロトコル変換のための第２ゲートウエイ装置８が設けられる。第２ゲートウエイ装置８は、ネットワーク１０３内の交換機７に接続される。
【００５０】
以下の説明では、ネットワーク１０１に接続される通信装置が、ネットワーク１０２に接続される通信装置を宛先とする呼を発生させる場合における呼接続処理について説明する。呼を発生させる通信装置を「発呼側装置１０」と表記し、宛先の通信装置を「着呼側装置１１」と表記する。
【００５１】
ネットワーク１０１とネットワーク１０２とは、ルータ１０４によって接続され、プライベートアドレスによってパケットを送受信できるＩＰ接続によるＩＰ接続点を有していてよい。又は、ネットワーク１０１とネットワーク１０２とは、他のＩＰ網を介して接続され、ＮＡＴ（Network Address Translation）によりパケットを送受信できるＩＰ接続によるＩＰ接続点を有していてよい。すなわち、ネットワーク１０１とネットワーク１０２とは、ネットワーク１０３を経由する接続点の他に、ＩＰ接続点を有する。
【００５２】
図９は、図８のネットワーク構成における呼接続処理の説明図である。なお、他の実施態様においては、下記のオペレーションＣＡ〜ＣＬの各オペレーションはステップであってもよい。また、以下の実施例では、ネットワーク１０３における呼制御プロトコルとして、ＩＳＵＰプロトコルが使用される例について説明する。
【００５３】
オペレーションＣＡにおいて発呼側装置１０は、第１ゲートウエイ装置５へＩＮＶＩＴＥメッセージを送信する。オペレーションＣＢにおいて第１ゲートウエイ装置５は、受信したＩＮＶＩＴＥメッセージを、ユーザ・ユーザ情報としてＩＡＭ（Initial Address Message）信号に格納する。第１ゲートウエイ装置５は、ＩＮＶＩＴＥメッセージが格納されたＩＡＭ信号をネットワーク１０２へ向けて送信する。
【００５４】
オペレーションＣＣにおいてＩＡＭ信号は、ネットワーク１０３内の交換機によって、ネットワーク１０２の第２ゲートウエイ装置８まで転送される。第２ゲートウエイ装置８は、ＩＡＭ信号のユーザ・ユーザ情報の内容を確認する。ユーザ・ユーザ情報としてＩＮＶＩＴＥメッセージが格納されている場合には、第２ゲートウエイ装置８は、発呼側装置１０とＳＩＰによるセッションを接続することが可能であると判断する。オペレーションＣＤにおいて第２ゲートウエイ装置８は、ＩＡＭ信号に格納されていたＩＮＶＩＴＥメッセージを着呼側装置１１へ送信する。
【００５５】
オペレーションＣＤにおいて着呼側装置１１は、ＩＮＶＩＴＥメッセージに対する応答メッセージである１００  Ｔｒｙｉｎｇメッセージを第２ゲートウエイ装置８へ送信する。オペレーションＣＦにおいて第２ゲートウエイ装置８は、受信した１００  Ｔｒｙｉｎｇメッセージを、ユーザ・ユーザ情報としてＡＣＭ（Address Complete Message）信号に格納する。第２ゲートウエイ装置８は、１００  Ｔｒｙｉｎｇメッセージが格納されたＡＣＭ信号をネットワーク１０１へ向けて送信する。
【００５６】
オペレーションＣＧにおいてＡＣＭ信号は、ネットワーク１０３内の交換機によって、ネットワーク１０１の第１ゲートウエイ装置５まで転送される。第１ゲートウエイ装置５は、ＡＣＭ信号のユーザ・ユーザ情報の内容を確認する。ユーザ・ユーザ情報として１００  Ｔｒｙｉｎｇメッセージが格納されている場合には、第１ゲートウエイ装置５は、着呼側装置１１とＳＩＰによるセッションを接続することが可能であると判断する。その結果、オペレーションＣＨにおいて第１ゲートウエイ装置５は、ＡＣＭ信号に格納されていた１００  Ｔｒｙｉｎｇメッセージを発呼側装置１０へ送信する。１００  Ｔｒｙｉｎｇメッセージを受信した発呼側装置１０は、２００  ＯＫメッセージの受信を待つ。
【００５７】
オペレーションＣＩにおいて着呼側装置１１は、ＩＮＶＩＴＥメッセージに対する応答メッセージである２００  ＯＫメッセージを第２ゲートウエイ装置８へ送信する。オペレーションＣＪにおいて第２ゲートウエイ装置８は、受信した２００  ＯＫメッセージを、ユーザ・ユーザ情報として呼の切断メッセージであるＲＥＬ（Release）信号に格納する。第２ゲートウエイ装置８は、２００  ＯＫメッセージが格納されたＲＥＬ信号をネットワーク１０１へ向けて送信する。その後、第２ゲートウエイ装置８は、ネットワーク１０３を経由する呼の接続処理を終了する。オペレーションＣＫにおいてＲＥＬ信号は、ネットワーク１０３内の交換機によって、ネットワーク１０１の第１ゲートウエイ装置５まで転送される。
【００５８】
ＲＥＬ信号を受信した第１ゲートウエイ装置５は、ネットワーク１０３を経由する呼の接続処理を終了する。オペレーションＣＬにおいて第１ゲートウエイ装置５はＲＥＬ信号に格納されていた２００  ＯＫメッセージを発呼側装置１０へ送信する。２００  ＯＫメッセージが発呼側装置１０に受信されることにより、発呼側装置１０と着呼側装置１１との間のセッションが確立する。
【００５９】
図１０は、ネットワーク構成の第２例の説明図である。ネットワーク構成１１０は、キャリアＡ、Ｂ及びＤによる通信サービスをそれぞれ提供するネットワーク１１１、１１３及び１１２を備える。キャリアＡのネットワーク１１１は、ＳＩＰによるセッションの制御が可能なＩＰ網である。キャリアＢ及びＤのネットワーク１１３及び１１２は、回線交換網である。
【００６０】
ネットワーク１１１は、ネットワーク１１３と接続されている。ネットワーク１１１には、ネットワーク１１３との間の伝送信号のプロトコル変換のための第１ゲートウエイ装置５が設けられる。第１ゲートウエイ装置５は、ネットワーク１１３内の交換機６に接続される。また、ネットワーク１１２もまた、ネットワーク１１３に接続されている。ネットワーク１１２内に設けられた交換機９が、ネットワーク１０３内の交換機７に接続される。
【００６１】
以下の説明では、ネットワーク１１１に接続される通信装置が、ネットワーク１１２に接続される通信装置を宛先とする呼を発生させる場合における呼接続処理について説明する。呼を発生させる通信装置を「発呼側装置１０」と表記し、宛先の通信装置を「着呼側装置１１」と表記する。
【００６２】
図１１は、図１０のネットワーク構成における呼接続処理の説明図である。なお、他の実施態様においては、下記のオペレーションＤＡ〜ＤＨの各オペレーションはステップであってもよい。また、以下の実施例では、ネットワーク１１３における呼制御プロトコルとして、ＩＳＵＰプロトコルが使用される例について説明する。
【００６３】
発呼側装置１０からＩＮＶＩＴＥメッセージを受信すると、オペレーションＤＡにおいて第１ゲートウエイ装置５は、受信したＩＮＶＩＴＥメッセージを、ユーザ・ユーザ情報としてＩＡＭ（Initial Address Message）信号に格納する。第１ゲートウエイ装置５は、ＩＮＶＩＴＥメッセージが格納されたＩＡＭ信号をネットワーク１１２へ向けて送信する。オペレーションＤＢにおいてＩＡＭ信号は、ネットワーク１１３内の交換機によって、ネットワーク１１２の交換機９まで転送される。
【００６４】
ネットワーク１１３はＳＩＰをサポートしていないため、交換機９は、ＩＡＭ信号に格納されたＩＮＶＩＴＥメッセージを解釈しない。オペレーションＤＣにおいて交換機９は、ＡＣＭ信号をネットワーク１０１へ向けて送信する。オペレーションＤＤにおいてＡＣＭ信号は、ネットワーク１１３内の交換機によって、ネットワーク１１１の第１ゲートウエイ装置５まで転送される。
【００６５】
第１ゲートウエイ装置５は、ＡＣＭ信号のユーザ・ユーザ情報の内容を確認する。ユーザ・ユーザ情報として１００  Ｔｒｙｉｎｇメッセージが格納されていない場合には、第１ゲートウエイ装置５は、着呼側装置１１とＳＩＰによるセッションを接続できないと判断する。このため第１ゲートウエイ装置５は、ネットワーク１１３を経由するＩＳＵＰによる呼接続処理を続行する。
【００６６】
その後、オペレーションＤＥにおいて交換機９は、ＣＰＧ（Call Progress）信号をネットワーク１１１へ向けて送信する。オペレーションＤＦにおいてＣＰＧ信号は、ネットワーク１１３内の交換機によって、ネットワーク１１１の第１ゲートウエイ装置５まで転送される。また、オペレーションＤＧにおいて交換機９は、ＡＮＭ（Answer Message）信号をネットワーク１１１へ向けて送信する。オペレーションＤＨにおいてＡＮＭ信号は、ネットワーク１１３内の交換機によって、ネットワーク１１１の第１ゲートウエイ装置５まで転送される。以上の手順によって、ネットワーク１１３を経由する発呼側装置１０と着呼側装置１１との間の呼接続が確立する。
【００６７】
本実施例によれば、回線交換網における接続プロトコルを用いて、ＩＰ網間でＳＩＰによるセッションの確立が可能であるか否かを判定することができる。ＳＩＰによるセッションの確立が可能であるときには、回線交換網を経由する呼接続を中止して、ＳＩＰによるセッションを確立することにより、ＩＰ網と回線交換網との境界のＵプレーン装置のハードウエア資源の消費を低減することができる。
【００６８】
続いて、第２ゲートウエイ装置８の他の実施例について説明する。図１２は、第２ゲートウエイ装置８の第２構成例を示す図である。図５に示す第２ゲートウエイ装置８が備える構成要素と同様の構成要素には、同じ参照符号を付する。第２ゲートウエイ装置８は、更に、第２判定部５５を備える。
【００６９】
第２判定部５５は、第１信号に格納されたＩＮＶＩＴＥメッセージを送信した発呼側装置１０のＩＰアドレスやドメインが、第２ゲートウエイ装置８との間でパケットを送受信できることが分かっている既知のアドレスやドメインであるか否かを判定する。データベース５６は、第２ゲートウエイ装置８との間でパケットを送受信できることが分かっている既知のアドレスやドメインを記憶する。
【００７０】
例えば、第１ＩＰ網２と第２ＩＰ網３とがプライベートアドレスにより直接パケットの交換ができるネットワーク構成においては、第１ＩＰ網２と第２ＩＰ網３に接続される通信装置のアドレスやドメインが、データベース５６に記憶されていてよい。
【００７１】
例えば、第１ＩＰ網２と第２ＩＰ網３とが他のＩＰ網経由で接続され、ＮＡＴによるグローバルアドレスへの変換を介して、第１ＩＰ網２と第２ＩＰ網３との間でパケットを送受信できるように、第１ＩＰ網２と第２ＩＰ網３とが接続されていてもよい。このようなネットワーク構成では、データベース５６には、ＮＡＴによりグローバルアドレスへ変換ができることが既知である第１ＩＰ網２内のプライベートアドレスやドメインが記憶されていてもよい。
【００７２】
発呼側装置１０のＩＰアドレスやドメインが既知のアドレスやドメインでないとき、信号生成部５１は、回線交換網４における呼制御プロトコルに従う呼制御信号である第３信号を生成する。発呼側装置１０のＩＰアドレスやドメインが既知のアドレスやドメインでないとき、信号処理部５４は、着呼側装置１１に割り当てられたグローバルＩＰアドレスを含むリダイレクト応答を生成し、リダイレクト応答を第３信号に格納する。第１通信部５０は、リダイレクト応答が格納された第３信号を、第１ＩＰ網２へ回線交換網４を経由して送信する。
【００７３】
リダイレクト応答が第３信号に格納されているとき、第１ゲートウエイ装置５の判定部３４は、第３信号を送信した第２ＩＰ網３が、ＳＩＰによるセッションの制御が可能なＩＰ網であると特定することができる。このため、リダイレクト応答が第３信号に格納されているとき、第１通信部３０は、発呼側装置１０へリダイレクト応答を送信する。
【００７４】
続いて、第２ゲートウエイ装置８の第２例における処理を説明する。図１３は、図１２に示す第２ゲートウエイ装置８における処理の説明図である。なお、他の実施態様においては、下記のオペレーションＥＡ〜ＥＪの各オペレーションはステップであってもよい。オペレーションＥＡにおいて第１通信部５０は、第１ＩＰ網２から送信され回線交換網４を経由して伝送された第１信号を受信する。
【００７５】
オペレーションＥＢにおいて第１判定部５２は、受信された第１信号にＩＮＶＩＴＥメッセージが格納されているか否かを判定する。第１信号にＩＮＶＩＴＥメッセージが格納されていないとき（オペレーションＥＢ：Ｎ）、処理はオペレーションＥＣへ進む。第１信号にＩＮＶＩＴＥメッセージが格納されているとき（オペレーションＥＢ：Ｙ）、処理はオペレーションＥＤへ進む。
【００７６】
オペレーションＥＣにおいて信号生成部５１は、回線交換網を経由する呼接続を確立させる呼制御信号を生成する。第１通信部５０が、この呼制御信号を第１ＩＰ網２へ回線交換網４を経由して送信することにより、第１ＩＰ網２と第２ＩＰ網３との間の呼接続が確立する。その後処理が終了する。
【００７７】
オペレーションＥＤにおいて第２判定部５５は、ＩＮＶＩＴＥメッセージに格納される発呼側装置１０のＩＰアドレスを参照する。第２判定部５５は、発呼側装置１０のＩＰアドレスやドメインが、第２ゲートウエイ装置８との間でパケットを送受信できることが分かっている既知のアドレスやドメインであるか否かを判定する。
【００７８】
発呼側装置１０のＩＰアドレスやドメインが既知であるとき（オペレーションＥＤ：Ｙ）、処理はオペレーションＥＥへ進む。発呼側装置１０のＩＰアドレスやドメインが既知でないとき（オペレーションＥＤ：Ｎ）、処理はオペレーションＥＫへ進む。オペレーションＥＥ〜ＥＪの処理は、図７を参照して説明したオペレーションＢＤ〜ＢＩの処理と同様である。
【００７９】
オペレーションＥＫにおいて信号生成部５１は、第３信号を生成する。オペレーションＥＬにおいて信号処理部５４は、着呼側装置１１に割り当てられたグローバルＩＰアドレスを含むリダイレクト応答を生成し、第３信号に格納する。
【００８０】
オペレーションＥＭにおいて第１通信部５０は、リダイレクト応答が格納された第３信号を、第１ＩＰ網２へ回線交換網４を経由して送信する。オペレーションＥＮにおいて信号生成部５１は、回線交換網を経由する呼接続を切断する呼制御信号を生成する。この呼制御信号により、回線交換網４を経由する呼接続処理が中断する。第３信号を、呼接続を切断する呼制御信号とすることによって、ＥＮをオペレーションＥＫ〜ＥＭと同時に実行してもよい。
【００８１】
次に、図１２の第１ゲートウエイ装置８を、あるネットワーク構成に配置した場合におけるそれぞれの呼接続処理について説明する。図１４は、ネットワーク構成の第３例の説明図である。
【００８２】
ネットワーク構成１２０は、キャリアＡ、Ｂ及びＥによる通信サービスをそれぞれ提供するネットワーク１２１、１２３及び１２２を備える。キャリアＡ及びＥのネットワーク１２１及び１２２は、ＳＩＰによるセッションの制御が可能なＩＰ網である。キャリアＢのネットワーク１２３は、回線交換網である。
【００８３】
ネットワーク１２１は、ネットワーク１２３と接続されている。ネットワーク１２１には、ネットワーク１２３との間の伝送信号のプロトコル変換のための第１ゲートウエイ装置５が設けられる。第１ゲートウエイ装置５は、ネットワーク１２３内の交換機６に接続される。また、ネットワーク１２２もまた、ネットワーク１２３に接続されている。ネットワーク１２２には、ネットワーク１２３との間の伝送信号のプロトコル変換のための第２ゲートウエイ装置８が設けられる。第２ゲートウエイ装置８は、ネットワーク１２３内の交換機７に接続される。
【００８４】
以下の説明では、ネットワーク１２１に接続される通信装置が、ネットワーク１２２に接続される通信装置を宛先とする呼を発生させる場合における呼接続処理について説明する。呼を発生させる通信装置を「発呼側装置１０」と表記し、宛先の通信装置を「着呼側装置１１」と表記する。
【００８５】
ネットワーク１２１とネットワーク１２２とは、他のＩＰ網１２４を介して接続され、ＮＡＴによりパケットを送受信できるＩＰ接続によるＩＰ接続点を有している。ＩＰ網１２４は例えばインターネットであってよい。すなわち、ネットワーク１２１とネットワーク１２２とは、ネットワーク１２３を経由する接続点の他に、ＩＰ接続点を有する。
【００８６】
ネットワーク１２１とＩＰ網１２４とはゲートウエイ装置１２５によって接続される。ゲートウエイ装置１２５は、ネットワーク１２１にて使用されるプライベートアドレスと、ＩＰ網１２４にて使用されるグローバルアドレスとの間のアドレス変換を行う。ネットワーク１２２とＩＰ網１２４とはゲートウエイ装置１２６によって接続される。ゲートウエイ装置１２６は、ネットワーク１２２にて使用されるプライベートアドレスと、ＩＰ網１２４にて使用されるグローバルアドレスとの間のアドレス変換を行う。
【００８７】
図１５は、図１４のネットワーク構成における呼接続処理の説明図である。なお、他の実施態様においては、下記のオペレーションＦＡ〜ＦＩの各オペレーションはステップであってもよい。また、以下の実施例では、ネットワーク１２３における呼制御プロトコルとして、ＩＳＵＰプロトコルが使用される例について説明する。
【００８８】
オペレーションＦＡにおいて発呼側装置１０は、第１ゲートウエイ装置５へＩＮＶＩＴＥメッセージを送信する。オペレーションＦＢにおいて第１ゲートウエイ装置５は、受信したＩＮＶＩＴＥメッセージを、ユーザ・ユーザ情報としてＩＡＭ（Initial Address Message）信号に格納する。第１ゲートウエイ装置５は、ＩＮＶＩＴＥメッセージが格納されたＩＡＭ信号をネットワーク１２２へ向けて送信する。
【００８９】
オペレーションＦＣにおいてＩＡＭ信号は、ネットワーク１２３内の交換機によって、ネットワーク１２２の第２ゲートウエイ装置８まで転送される。第２ゲートウエイ装置８は、ＩＡＭ信号のユーザ・ユーザ情報の内容を確認する。ユーザ・ユーザ情報としてＩＮＶＩＴＥメッセージが格納されている場合には、第２ゲートウエイ装置８は、発呼側装置１０とＳＩＰによるセッションを接続することが可能であると判断する。
【００９０】
また、第２ゲートウエイ装置８は、発呼側装置１０のＩＰアドレスやドメインが、第２ゲートウエイ装置８との間でパケットを送受信できることが分かっている既知のアドレスやドメインであるか否かを判定する。
【００９１】
発呼側装置１０のＩＰアドレスやドメインが既知でないとき、オペレーションＦＤにおいて第２ゲートウエイ装置８は、リダイレクト応答である３０１メッセージを生成する。第２ゲートウエイ装置８は、着呼側装置１１のグローバルアドレスを３０１メッセージに含める。第２ゲートウエイ装置８は、３０１メッセージを、ユーザ・ユーザ情報としてＲＥＬ信号に格納する。第２ゲートウエイ装置８は、３０１メッセージが格納されたＲＥＬ信号をネットワーク１２１へ向けて送信する。
【００９２】
オペレーションＦＥにおいてＲＥＬ信号は、ネットワーク１２３内の交換機によって、ネットワーク１２１の第１ゲートウエイ装置５まで転送される。第１ゲートウエイ装置５は、ＲＥＬ信号のユーザ・ユーザ情報の内容を確認する。ユーザ・ユーザ情報として３０１メッセージが格納されている場合には、第１ゲートウエイ装置５は、着呼側装置１１とＳＩＰによるセッションを接続することが可能であると判断する。その結果、オペレーションＦＦにおいて第１ゲートウエイ装置５は、ＲＥＬ信号に格納されていた３０１メッセージを発呼側装置１０へ送信する。
【００９３】
３０１メッセージを受信した発呼側装置１０は、オペレーションＦＧにおいて、３０１メッセージに含まれていた着呼側装置１１のグローバルアドレスを宛先とするＩＮＶＩＴＥメッセージを送信する。オペレーションＦＨ及びＦＩにおいて、着呼側装置１１は１００  Ｔｒｙｉｎｇメッセージと２００  ＯＫ信号を発呼側装置１０へ送信する。以上の手順によって発呼側装置１０と着呼側装置１１との間のセッションが確立する。
【００９４】
本実施例によれば、第２ゲートウエイ装置８からリダイレクト応答を送信することにより、発呼側に着呼側のグローバルアドレスを与え、回線交換網４を経由させずに発呼側からＩＮＶＩＴＥメッセージを送信させることが可能になる。このため、第１ＩＰ網２と第２ＩＰ網３とが他のＩＰ網によって接続されているときに、グローバルアドレスを用いてＳＩＰメッセージを交換することが可能となる。
【００９５】
以上の実施例を含む実施形態に関し、更に以下の付記を開示する。
【００９６】
（付記１）
ＩＰ（Internet Protocol）接続による第２ＩＰ網への第１接続点と、回線交換網を経由する前記第２ＩＰ網への第２接続点と、を有する第１ＩＰ網を、前記回線交換網に接続する第１ゲートウエイ装置であって、
前記第１ＩＰ網に接続される発呼側装置からＳＩＰ（Session Initiation Protocol）に従うセッションの確立要求メッセージを受信する第１受信部と、
前記回線交換網における呼制御信号である第１信号を生成する信号生成部と、
前記確立要求メッセージを前記第１信号内に格納する信号処理部と、
前記確立要求メッセージが格納される前記第１信号を、着呼側装置が接続された前記第２ＩＰ網へ前記回線交換網を経由して送信する第１送信部と、
前記回線交換網における呼制御信号である第２信号を前記第２ＩＰ網から受信する第２受信部と、
前記確立要求メッセージに対する応答メッセージが前記第２信号に格納されているか否かを判定する判定部と、
前記第２信号に前記応答メッセージが格納されている場合、前記応答メッセージを前記発呼側装置へ送信する第２送信部と、
を備えるゲートウエイ装置。
【００９７】
（付記２）
前記回線交換網における呼制御プロトコルとＳＩＰと間の変換を行う変換部を備え、
前記第２信号に前記応答メッセージが格納されていない場合、前記変換部は、前記回線交換網を経由する呼接続を確立させる付記１に記載のゲートウエイ装置。
【００９８】
（付記３）
ＩＰ（Internet Protocol）接続による第１ＩＰ網への第１接続点と、回線交換網を経由する前記第１ＩＰ網への第２接続点と、を有する第２ＩＰ網を、前記回線交換網に接続する第２ゲートウエイ装置であって、
前記回線交換網における呼制御信号である第１信号を、発呼側装置が接続された前記第１ＩＰ網から受信する受信部と、
前記回線交換網における呼制御信号である第２信号を生成する信号生成部と、
ＳＩＰ（Session Initiation Protocol）に従うセッションの確立要求メッセージが、前記第１信号に格納されているか否かを判定する第１判定部と、
前記確立要求メッセージが前記第１信号に格納されている場合、前記確立要求メッセージに対する応答メッセージを前記第２信号内に格納する信号処理部と、
前記応答メッセージが格納される前記第２信号を、前記回線交換網を経由して前記第１ＩＰ網へ送信する送信部と、
を備えるゲートウエイ装置。
【００９９】
（付記４）
前記確立要求メッセージに含まれる前記発呼側装置のＩＰアドレスが既知のアドレスであるか否かを判定する第２判定部を備え、
前記信号生成部は、前記回線交換網における呼制御信号である第３信号を生成し、
前記発呼側装置のＩＰアドレスが既知のアドレスでない場合、前記信号処理部は、着呼側装置のＩＰアドレスを含むリダイレクト応答を前記第３信号内に格納する付記３に記載のゲートウエイ装置。
【０１００】
（付記５）
前記確立要求メッセージに含まれる前記発呼側装置のドメインが既知のドメインであるか否かを判定する第２判定部を備え、
前記信号生成部は、前記回線交換網における呼制御信号である第３信号を生成し、
前記発呼側装置のドメインが既知のドメインでない場合、前記信号処理部は、着呼側装置のＩＰアドレスを含むリダイレクト応答を前記第３信号内に格納する付記３に記載のゲートウエイ装置。
【０１０１】
（付記６）
ＩＰ（Internet Protocol）接続による第２ＩＰ網への第１接続点と、回線交換網を経由する前記第２ＩＰ網への第２接続点と、を有する第１ＩＰ網を、前記回線交換網に接続する第１ゲートウエイ装置において実行される通信プログラムであって、前記第１ゲートウエイ装置に、
前記第１ＩＰ網に接続される発呼側装置からＳＩＰ（Session Initiation Protocol）に従うセッションの確立要求メッセージを受信させ、
前記回線交換網における呼制御信号である第１信号を生成させ、
前記確立要求メッセージを前記第１信号内に格納させ、
前記確立要求メッセージが格納される前記第１信号を、着呼側装置が接続された前記第２ＩＰ網へ前記回線交換網を経由して送信させ、
前記回線交換網における呼制御信号である第２信号を前記第２ＩＰ網から受信させ、
前記確立要求メッセージに対する応答メッセージが前記第２信号に格納されているか否かを判定させ、
前記第２信号に前記応答メッセージが格納されている場合、前記応答メッセージを前記発呼側装置へ送信させる、通信プログラム。
【０１０２】
（付記７）
ＩＰ（Internet Protocol）接続による第１ＩＰ網への第１接続点と、回線交換網を経由する前記第１ＩＰ網への第２接続点と、を有する第２ＩＰ網を、前記回線交換網に接続する第２ゲートウエイ装置において実行される通信プログラムであって、前記第２ゲートウエイ装置に、
前記回線交換網における呼制御信号である第１信号を、発呼側装置が接続された前記第１ＩＰ網から受信させ、
ＳＩＰ（Session Initiation Protocol）に従うセッションの確立要求メッセージが、前記第１信号に格納されているか否かを判定させ、
前記回線交換網における呼制御信号である第２信号を生成させ、
前記確立要求メッセージが前記第１信号に格納されている場合、前記確立要求メッセージに対する応答メッセージを前記第２信号内に格納させ、
前記応答メッセージが格納される前記第２信号を、前記回線交換網を経由して前記第１ＩＰ網へ送信させる、通信プログラム。
【０１０３】
（付記８）
ＩＰ（Internet Protocol）接続による第２ＩＰ網への第１接続点と、回線交換網を経由する前記第２ＩＰ網への第２接続点と、を有する第１ＩＰ網を、前記回線交換網に接続する第１ゲートウエイ装置において実行される通信方法であって、前記第１ゲートウエイ装置が、
前記第１ＩＰ網に接続される発呼側装置からＳＩＰ（Session Initiation Protocol）に従うセッションの確立要求メッセージを受信し、
前記回線交換網における呼制御信号である第１信号を生成し、
前記確立要求メッセージを前記第１信号内に格納し、
前記確立要求メッセージが格納される前記第１信号を、着呼側装置が接続された前記第２ＩＰ網へ前記回線交換網を経由して送信し、
前記回線交換網における呼制御信号である第２信号を前記第２ＩＰ網から受信し、
前記確立要求メッセージに対する応答メッセージが前記第２信号に格納されているか否かを判定し、
前記第２信号に前記応答メッセージが格納されている場合、前記応答メッセージを前記発呼側装置へ送信する、通信方法。
【０１０４】
（付記９）
ＩＰ（Internet Protocol）接続による第１ＩＰ網への第１接続点と、回線交換網を経由する前記第１ＩＰ網への第２接続点と、を有する第２ＩＰ網を、前記回線交換網に接続する第２ゲートウエイ装置において実行される通信方法であって、前記第２ゲートウエイ装置が、
前記回線交換網における呼制御信号である第１信号を、発呼側装置が接続された前記第１ＩＰ網から受信し、
ＳＩＰ（Session Initiation Protocol）に従うセッションの確立要求メッセージが、前記第１信号に格納されているか否かを判定し、
前記回線交換網における呼制御信号である第２信号を生成し、
前記確立要求メッセージが前記第１信号に格納されている場合、前記確立要求メッセージに対する応答メッセージを前記第２信号内に格納し、
前記応答メッセージが格納される前記第２信号を、前記回線交換網を経由して前記第１ＩＰ網へ送信する、通信方法。
【符号の説明】
【０１０５】
１    通信システム
２    第１ＩＰ網
３    第２ＩＰ網
４    回線交換網
５    第１ゲートウエイ装置
６、７    交換機
８    第２ゲートウエイ装置
１０    発呼側装置
１１    着呼側装置
３０    第１通信部
３１    信号生成部
３２    信号処理部
３３    第２通信部
３４    判定部
【図１】
2011211385.tif 000003
【図２】
2011211385.tif 000004
【図３】
2011211385.tif 000005
【図４】
2011211385.tif 000006
【図５】
2011211385.tif 000007
【図６】
2011211385.tif 000008
【図７】
2011211385.tif 000009
【図８】
2011211385.tif 000010
【図９】
2011211385.tif 000011
【図１０】
2011211385.tif 000012
【図１１】
2011211385.tif 000013
【図１２】
2011211385.tif 000014
【図１３】
2011211385.tif 000015
【図１４】
2011211385.tif 000016
【図１５】
2011211385.tif 000017